(57)【要約】【課題】空気調和機の室内機に採用している部品の交換や、フィルターの掃除などが、家人の不在、在室にかかわら、ずサービスマンが家の中に入らなくて、屋外から部品の交換や部品の掃除ができるようにする。【解決手段】室内機１の背面板１１、据付部材および据付けられている壁１３に、貫通された孔（サービス用ダクト１０、壁内ダクト１２）を設け、交換したり掃除したりする部品９ａに、サービスマンの手や道具が届くように、室内機内部の部品９ａを配置する。また、必要に応じて、孔の外壁側には風雨侵入防止の蓋を付け、かつ防犯用の鍵を付けられるようにする。【選択図】　　　　図１
2004138319.tif 000002
【特許請求の範囲】
【請求項１】
室内機の背面に、メンテナンスサービス用の開口部を有し、該室内機のメンテナンスサービス対象部を、該室内機を取り付ける壁体の貫通孔および前記室内機の背面開口部を介してメンテナンス可能な位置に配置したことを特徴とする空気調和機。
【請求項２】
請求項１に記載の空気調和機において、前記室内機のフィルターをメンテナンスサービスの対象とし、交換するフィルター同士は互いに係止する係止部を有し、前記壁体の貫通孔および前記室内機の背面開口部を介して、該室内機に設置されているフィルターの係止部と、新たに使用するフィルターの係止部とを互いに係止して、一方のフィルターを移動させることにより他方のフィルターも移動してフィルターの交換が行われることを特徴とする空気調和機。
【請求項３】
請求項１に記載の空気調和機において、前記室内機のフィルターをメンテナンスサービスの対象とし、該フィルターは帯状に形成され、両端にそれぞれフィルターを巻き付け可能な芯材を有し、いずれかの芯材を回動することによりフィルター面が更新するように構成され、該芯材は、前記壁体の貫通孔および前記室内機の背面開口部を介して取り出しおよび組み付け可能であることを特徴とする空気調和機。
【請求項４】
請求項１に記載の空気調和機において、前記室内機の内部に設置される部品をメンテナンスサービスの対象とし、該部品を支持部材の一端部に取り付け、該支持部材の他端部を前記壁体の貫通孔の近傍に着脱可能に固定したことを特徴とする空気調和機。
【請求項５】
請求項１に記載の空気調和機において、前記室内機の内部に設置される部品をメンテナンスサービスの対象とし、該部品を前記壁体の貫通孔および前記室内機の背面開口部を介して着脱可能なように、該部品の取り付けおよび取り外し方向を該室内機の背面方向としたことを特徴とする空気調和機。
【請求項６】
請求項１に記載の空気調和機において、前記室内機の内部に設置される部品をメンテナンスサービスの対象とし、該部品を前記壁体の貫通孔および前記室内機の背面開口部を介して交換できるように、該部品を取付けた台が室内機の背面方向に移動可能としたことを特徴とする空気調和機。
【請求項７】
請求項１に記載の空気調和機において、前記室内機の内部の清掃をメンテナンスサービスの対象とし、前記壁体の貫通孔および前記室内機の背面開口部を介して、該室内機の内部に吸引掃除機を挿入して清掃することを特徴とする空気調和機。
【請求項８】
請求項１に記載の空気調和機において、前記室内機から室内に吹き出す空気をメンテナンスサービスの対象とし、該吹き出し空気に一定の性状を付加する部品を、前記壁体の貫通孔および前記室内機の背面開口部を介して、設置、交換、または保守可能としたことを特徴とする空気調和機。
【請求項９】
請求項１に記載の空気調和機において、前記室内機から室内に吹き出す空気をメンテナンスサービスの対象とし、該吹き出し空気に所定の処理を施す部品を、前記壁体の貫通孔および前記室内機の背面開口部を介して、設置、交換、または保守可能としたことを特徴とする空気調和機。
【請求項１０】
請求項１に記載の空気調和機において、前記壁体の貫通孔の外部側に、蓋および鍵を取り付けたことを特徴とする空気調和機。
【発明の詳細な説明】
【０００１】
【発明の属する技術分野】
本発明は空気調和機に係り、特に、内側に室内機を設置した壁の外側から、室内機内部のメンテナンスサービスを実施できる空気調和機に関する。
【０００２】
【従来の技術】
従来、空気調和機の室内機には、例えば、室内へ吐出される空気にマイナスイオンを混入するために、マイナスイオン発生器を送風される気流中に設置する例がある。（例えば特許文献１参照）。
【０００３】
仮にマイナスイオン発生部が塵埃で汚れて掃除するときは、前面の化粧カバーを開いて、送風方向制御板などを取り除いてからマイナスイオン発生部の放電電極を取り出し、清掃してから再び同じ位置に戻すようになっている。
【０００４】
しかし、マイナスイオン発生電極は高度な精密加工を施された部品であるため、一般の素人が取り付け取り外しや清掃などを行なうことができず、家庭用電気機器を扱うサービスマンがきて、上記のように清掃していた。
【０００５】
そのため、清掃するときは、顧客である注文依頼主はサービスマンがくる予定時間には在宅していなければならず、最近のように共働きの家では時間調整が困難であった。したがって、清掃も適切な期間に行うことができず、つい先へ送られてしまい、マイナスイオン発生器の効率が悪くなった状態で使うことが多くなっていた。
【０００６】
【特許文献１】
特開平３−８７５３１号公報。
【０００７】
さらに、空気調和機には上記マイナスイオン発生器のほかに、定期的にサービスしたり、交換したりするものとして、フィルターの掃除や、オゾン発生器、脱臭剤、あるいは電気部品等があるが、これらのものも室外から取り付け取り外しあるいは交換ができたりすると非常に便利であるが、従来品は室内側からしかこのようなメンテナンスサービスができない。電気部品等も交換を必要とするものは１個所に集約しておき、室外側から交換できるようにするとサービス活動時に大変便利である。
【０００８】
【発明が解決しようとする課題】
このような空気調和機を定期的に清掃するためには、サービスマンが注文主の在宅時間に合わせるか、部屋の鍵をあずかるか、あるいは、あらかじめ室内機取付壁に室内機より大きめの開口部をあけておき、この開口部から室内機ごと室外側に取り出して、室内機の前面化粧カバーと送風方向制御板などを外してから、例えばマイナスイオン発生部（放電電極部）を取り出し、放電電極部等を清掃した後、再び室内機を壁内に戻していた。
【０００９】
したがって、室内機を取り出すときに不慣れなサービスマンは、室内機と室外機間を結ぶ冷媒パイプを曲げてしまったり、破損してしまうことがあった。また、サービスマン以外の人が室外から室内に侵入するのを防止するためには、室内機が容易に外せないようにする必要があり、壁などの開口部に鍵付の扉などを取り付ける必要があり、工事が複雑となり費用もかかった。
【００１０】
そのため、留守宅にサービスマンが入らなくても、外部から部品交換やクリーニング（清掃）などを、簡単にかつ確実に短時間でできるようにすることが求められてきた。なお、特許文献１に開示された空気調和機も、外部から部品交換やクリーニング（清掃）などを実施できるものではなかった。
【００１１】
本発明の課題は、室内機内部の部品交換や清掃などのメンテナンスサービスを、室内機を設置した壁の外側から実施できるようにすることである。
【００１２】
【課題を解決するための手段】
上記課題を解決するために本発明は、室内機の背面に、メンテナンスサービス用の開口部を有し、該室内機のメンテナンスサービス対象部を、該室内機を取り付ける壁体の貫通孔および前記室内機の背面開口部を介してメンテナンス可能な位置に配置したことを特徴とするものである。
【００１３】
本発明によれば、外部から壁の内側に設置した室内機の内部を、壁の外部からメンテナンス可能なので、室内機を設置した家人が留守のときでも、必要に応じて以下のように種々のメンテナンスサービスを行うことができる。
【００１４】
例えば。室内機のフィルターの交換や清掃、室内機内部の電気部品の交換や清掃、室内機の内部の清掃などを容易に実施できる。また、室内機の吹き出し空気に一定の性状を付加するものとして、マイナスイオンやヒノキ等の香りを与える香料などがあり、また、吹き出し空気に所定の処理を施すものとして、消臭処理や滅菌処理を行うものなどがあり、これらを定期的にサービスすることが可能となる。
【００１５】
【発明の実施の形態】
本発明の実施形態の概要は、図１において、空気調和機の室内機１に対して、外部から随時、種々のメンテナンスサービスを行えるように、室内機背面に開口部（ダクト１０）を形成し、この開口部１０と、室内機を設置する壁体に形成した貫通孔（ダクト１２）とを介して、部品交換や室内機の清掃、あるいは吹き出し空気に付加価値を与える部品の設置などを実施できるようにしたものである。
【００１６】
以下では、主として室内機内部に設置したマイナスイオン発生器９（図１）に対するメンテナンスや、室内機に設置されたフィルター（図１０）の交換や清掃、あるいは、壁体の貫通孔および室内機の背面開口部の構造などについて説明するが、本発明はこれらに限定されるものではなく、室内機内部の各種の部品、あるいは、室内機吹き出し空気の質の向上などのメンテナンスサービスに対しても適用可能である。
【００１７】
以下、本発明の一実施形態を図面を参照して説明する。図１に、内部にマイナスイオン発生器を備えた室内機を示す。空気調和機の室内機１の筐体は化粧カバー２で構成されている。化粧カバー２には室内空気の吸込口２ａが形成され、吸込口２ａに隣接して室内空気を冷やしたり温めたりする熱交換器３が配置され、ファン４によって、吸込口２ａから吸い込まれた空気は熱交換器３を経て吹出口５から室内へ送風される。本例ではファン４は貫流ファンを用いている。
【００１８】
吹出口５には、送風方向を上下に制御する上下送風方向制御板６があり、貫流ファン４から送風された空気の流れ方向を上下方向に制御する。また、左右送風方向制御板７で、貫流ファン４から送風された空気の吹き出し方向を、左右方向（水平方向）に制御する。また、室内機内部の背面側には背面側ケーシング８が設置されて内部空間を構成している。
【００１９】
本例では、吹出口５の前流側にマイナスイオン発生器９が配置されている。また、図１〜図９に適宜示されているように、マイナスイオン発生器９には、マイナスイオンを発生する放電電極９ａや、放電電極９ａに手が触れたりしないように放電電極を守るカバー９ｂ、および電極保護カバー９ｂに設けられた電極カバースリット９ｃなどが設けられている。
【００２０】
本実施形態では、空気調和機の背面板１１に開口部１１ａを形成し、この背面開口部１１ａと背面側ケーシング８間にサービス用ダクト１０を設置した。また、背面開口部１１ａに合わせて室内機取付壁１３に形成した貫通孔に壁内ダクト１２を挿入し、壁内ダクト１２とサービス用ダクト１０とを接続している。
【００２１】
こうすることにより、放電電極９ａを室外から掃除するときに、外部からダクト１２および１０内を、掃除用の棒やブラシ１４（図２）を通過させることができる。
【００２２】
本例では、図１に示すように、室外から空気調和機のマイナスイオン発生器の放電電極９ａまで、一直線となる貫通孔（ダクト１２および１０）で結んであるので、仮に放電電極９ａに室内の塵埃が付着して性能が落ちたときにも、サービスマンにきてもらって放電電極９ａを清掃するブラシ１４などをダクト１０内に入れて清掃できる。
【００２３】
その際、家人が不在のときでも室外から直接清掃できるので、事前に打合わせて在宅している必要がなく、また、サービスマンもいつでも都合の良いときにサービスできるので、効率の良いサービス活動ができる。そのために放電電極の取付向きなどを、清掃し易い向きにしておくとよい。
【００２４】
図３は、室外から室内機１に内蔵された放電電極部９の清掃をし易くするために、放電電極部９の電源接続部を、挿入および引き抜きが自在のソケット１５を用いた方式にして、挿入および引き抜き方向を、壁内ダクト１２およびサービス用ダクト１０の軸方向に設定したものである。
【００２５】
図４にも示したように、ソケット雄部１５ａ（放電電極側）を喰える部分１６（ワニ口など）を、ダクト１０から挿入した棒の先端につけておき、先ず、放電電極９ａの付いたソケット雄部１５ａを、ソケット雌部１５ｂ（電源側）から引き出して、サービス用ダクト１０を通過後、室外にて、放電電極９ａを直接良く見ながら清掃した後、再びサービス用ダクト１０を経由してソケット雌部１５ｂに戻す方式である。
【００２６】
なお、このときは図４に示すように、放電電極９ａの先端を室内機の背面に向かせてさらに、電極保護カバーを兼ねたソケット１５のスリット１５ａを、上下に位置するようにしておくことにより、引き抜や挿入が容易となり、かつ貫流ファン４から出た冷却空気の流れをソケット部１５が邪魔することなく、放電電極の保護カバーとなるソケット１５のスリット１５ａ間を通り抜けるので、放電された多くのマイナスイオンを気流に与えることができる。
【００２７】
図５、図６（図５の断面Ａ−Ａ）、および図７に、マイナスイオン発生器の別の搭載例を示す。室外から室内機１に内蔵された放電電極部９の掃除をしやすくするために、マイナスイオンを発生する放電電極部９と壁内ダクト１２の室外開口部１２ａ間をレール１７で結び、該レール１７上を放電電極部９が自由に可動できるように、スライダー１９に放電電極部９を搭載したものである。
【００２８】
したがって、室外から放電電極部９を掃除するときは、放電電極部９を搭載したスライダー１９を背面方向すなわち壁の外部方向へ引き寄せることで、放電電極９ａを室外から容易に取り外すことができる。そのため、確実なクリーニング（清掃）を短時間で行うことができる。また、清掃した後、レール１７上を元の位置に戻すことで、家人が不在でも家屋内に立入ことなく、確実に放電電極９ａを清掃することができる。
【００２９】
図８は、マイナスイオン発生器のさらに別の搭載例で、前例と同様に、室外から室内機１に内蔵された放電電極部９の清掃をしやすくするために、放電電極部９への電線をフレキシブル電線２０にして、室内機内部の放電電極部９が、自由に背面へ移動できるようにしたものである。したがって、放電電極部９を固定部からはずした後、背面ダクト１０経由で背面口１２ａから取り出せば、リード線（電線）を接続したり、切り離したりする必要がなく、手軽に目で確認しながら放電電極部９を掃除することができる。
【００３０】
図９は、マイナスイオン発生器のさらに別の搭載例である。放電電極部９の掃除を容易に行なえるように、ささえ棒２１の先端２１ａにマイナスイオン発生装置（放電電極部９）を付けて、ささえ棒２１を室内機１の設置されている壁に開けた孔（ダクト１２）より挿入し、貫流ファン４により吐出される冷却空気中に該放電電極部９を設置してある。
【００３１】
ささえ棒２１のもう一端２１ｂを室内機の設置されている壁に開けた孔の近傍にねじで固定し、ねじをはずすことにより、マイナスイオン発生装置９を室外側から自由に引き出したり、挿入したりできるようにしたもので、マイナスイオン発生装置９の清掃を、室外にて目で見ながら確実に手軽にできるようにしたものである。
【００３２】
次に、図１０以下を参照して、空気調和機の室内機を設置した壁の外部から、室内機のフィルターの交換などのメンテナンスサービスを行う例を説明する。本例では、室内機１の吸込口２ａ側に取り付けられる室内の塵挨除去用のフィルター２２を帯状に作り、一端を芯２２ａに巻き付け、他端を別の芯２２ｂに巻き取り可能にした。こうすることにより、汚れた面を巻き取ると同時に新しい面が出てくるようになり、必要に応じて、逆転により巻戻しもできる。
【００３３】
なお、両端の芯は、室内機背面と壁に開けた左右の芯の取り出し口２５および２６より取り出したり、挿入後、組付けできる構造としたので、巻取りが進み、最後の面となった時点で、サービスマンがフィルター２２を掃除するときは、巻取ったフィルターをゆるめて芯２２ｂごと取り出し、巻き取られていたフィルターを芯２２ｂから出して、付着した埃などをブラシなどで落として清掃する。
【００３４】
清掃が終わったらフィルターを芯２２ｂに巻き付けて元に戻し、次にフィルターの最後の面を芯２２ａに巻き取り、次いで芯２２ａを壁外に取り出し、汚れた面を引き出して掃除する。掃除が終わったら、再び芯２２ａに巻き付けて元に戻す。次いで、２本の芯を適宜回転して最初の面をセットする。こうして再び使用することができる。しかも、これらの作業は室外のみでできるので、家人が不在でもフィルターの掃除のサービス活動ができる。
【００３５】
なお、各々の芯２２ａ、２２ｂの取付構造は、図１１（図１０の視図Ａ−Ａ）および図１２（図１０の断面Ｂ−Ｂ）に示すように、上部の軸芯の長さＬｕと軸受２２ｃの深さＤｕを下部の軸芯の長さＬｄより長くし、かつ上部の軸受面とフィルター２２の上端との隙間Ｓｕを下部の軸芯の長さＬｄより大きくしておく。
【００３６】
これにより、軸芯に巻き付けたフィルター２２ごと上方に動かし、手前に引くことにより、下部の軸芯が下部の軸受面２２ｄの穴よりはずれて、フィルター２２を巻き付けた軸芯を取り出すことができるので、フィルターをほぐして、汚れを落とした後、巻き付け、逆に上部軸芯を上部軸受２２ｃの穴に挿入しながら、下部軸芯を下部軸受孔２２ｄに戻すことにより、再び軸芯がセットされるので、ゆるんでいるフィルター２２を引っ張りながら各々の軸に巻き付けることにより、吸込面２ａにゆるみなくフィルター２２が設置される。
【００３７】
次に、図１３および図１４を用いて、室内機の吸込側フィルターを掃除するための別の例を説明する。本例のフィルター２２は、図１２（Ａ）に示すように、一枚の帯状に形成され、図１２（Ｂ）に示すように、フィルターの左端に鈎部２２ｃが、右端に別のフィルターの左側の鈎を受ける孔２２ｄが設けられている。
【００３８】
図１３（Ａ）に示すように、出荷状態では室内機にフィルター２２が取付けてあるが、使用中に汚れたフィルター２２を掃除するときは、室外側からでも掃除ができるように、フィルター２２の両端を各々収納する空間が、フィルターのある前面から室内機の背面にかけて左右に設けてある。また、この空間に面して、室内機の取付けられた壁１３にも開孔２５、２６があけられている。
【００３９】
このような構成で、図１３（Ｂ）に示すように、フィルター２２の図中左側を引っ張ると吸込面が移動する。この場合、新しいフィルターをもう一枚用意しておき、図中右側に示した新しいフィルター２２の鈎部２２ｃを、古いフィルター（現在使用中の汚れたフィルター２２）の鈎受孔２２ｄに引っかけておく。
【００４０】
こうすると、古いフィルター（左側）が引き出されるにつれて、新しいフィルター（右側）が引き込まれて、古いフィルターの鈎受孔２２ｄが開孔２６から出るときは、新しいフィルターが吸込面を覆い、埃の附着していない新しいフィルター２２に入替えることができる。
【００４１】
なお、図１４（Ａ）に示すように、新しい高価なフィルター２２を別に準備しなくてもすむように、新しいフィルター２２の代りにテープ状の物（テープ３２）の両端に、鈎３２ｃと鈎受孔３２ｄを設けておき、現在使用中のフィルター２２の掃除をするときは、引き出す前にフィルター２２の鈎受孔３２ｄに、テープ３２の鈎３２ｃを係合してから、フィルター２２のみを引き出し、掃除が終ったら、テープ３２を引き戻して、再びフィルター２２が室内機の吸込面の位置するようにしても良く、同様の効果を上げることができる。
【００４２】
また、図１４（Ｂ）に示すように、テープ３２の代わりに、フィルター２２の枠３３のみを準備し、この枠３３をフィルター２２に接続して用いても、同様の効果を上げることができる。これらの方法は室外側からだけでも交換できるので、前述の例と同様に、家人が不在のときでもサービス活動ができる。
【００４３】
次に、図１５に、本発明における室内機の取付構造の一例を示す。本例は、室内機１を取付部材２７を介して外壁２８に取り付ける例を示している。空気調和機の室内機１の部品で、交換を必要とする部品を室外側から交換できるように、室内機１を構成する背面板１１にサービス用の開口１１ａを設け、かつ、該開口１１ａに対向する開口２７ａを、室内機１を取付ける取付部材２７にも設け、さらに、取付部材２７を固定する外壁２８にも、対向する同位置に室外に通ずる貫通孔２８ａを設けた。こうすることにより、外壁２８の開口２８ａから、部品の取り外しや取り付けができ、種々のサービスが室外からできる。
【００４４】
図１６は、外壁ダクト１２にカバー２３を取り付けた例である。空気調和機の室内機１を室外から清掃するために、壁に壁内ダクト１２を設けたとき、ダクト１２の開口部から風雨が侵入するのを防ぐためと、清掃などのサービス時以外に外部から放電電極部９が触れられることのないように、例えば、故意にいたずらされたりすることがないように、開口部を塞ぐカバー２３を取付けた。
【００４５】
また、図１７および図１８に、カバー２３が必要なとき以外は、外すことができないように鍵２４を付けた例を示す。鍵２４の構造を、図１７および図１８を用いて説明する。
【００４６】
図１７に示すように、カバー２３の内側にストッパー２３ａが設けられており、先端部下方が鈎形（鍵）になっていて、ラッチ２９にストッパー２３ａの先端２３ｂが当たると、ラッチ２９は支点２９ａを回転軸として、下端に接しているコイルばね３０を圧縮して一旦下に下るが、ストッパー２３ａの先端２３ｂが通過後、コイルばねの反力によりラッチ２９は鈎部２３ｂに係合し、カバーを引き戻しても戻らなくなる。即ち、カバー２３に鍵がかかった状態となる。
【００４７】
次に、図１８に示すように、鍵を解錠するときは、コイルばね３０を下方から圧縮しながら押し上げているねじ３１をゆるめて下げると、コイルばね３０も下がり、ラッチ２９がストッパー２３ａの鈎部２３ｂからはずれるので、カバー２３を外側から引いて外すことができる。
【００４８】
したがって、事前にサービスマンがくるのが分かっていて、家人が留守にするときは、室内でねじ３１を下げて鍵を解錠しておくことができる。家人が帰宅したときに、サービスが終っていたら、再びねじ３１を回してコイルばね３０を上げ、ストッパー２３ａにラッチ２９を効かせると鍵がかかり、カバー２３は外からは開けることができなくなる。
【００４９】
また、カバーをつけることにより、室外の空気が侵入しなくなるので、空気調和機の効率も下がることがない。台風などで開口部に強い風が吹きつけても、室内機の吐出する気流に影響することはなく、安定した吐出流を得られる。
【００５０】
以下、本発明の実施形態の効果を説明する。以上詳細に説明したように、室内機の取付けてある壁の外側から、例えばマイナスイオン発生をする放電電極部まで一直線で継がる貫通孔（パイプ）で結んであるので、室外からでも放電電極部の清掃ができる。
【００５１】
なお、放電電極部を取付る際には、放電電極部をソケット式にして、ソケットの抜き差し方向を室内機の背面貫通孔方向とし、保護カバーのスリットの向きを上下方向としたので、放電電極部の抜き差しが、背面部の貫通孔から挿入した放電電極部喰え棒（ワニ口付）により手軽にできて、かつ、放電電極への空気流れを阻害するものがなくなるので、多量の空気が流れやすく、吐出空気中にマイナスイオンを多く含ませることができる。
【００５２】
また、室内機内部の放電電極部と貫通ダクトの空気開口部との間をレールで結び、該レールの上に放電電極を乗せて可動自在にしたので、室外から放電電極部を引き寄せて取り出すことがで、放電電極部を肉眼で良く見ることができるため、放電電極部を確実に清掃することができる。
【００５３】
さらに他の例では、放電電極部の電源となる電線をフレキシブルな材質としたので、室内機内部の放電電極を自由に背面の開口部へ移動できるため、電源の切離しや接続作業が不要となり、サービス活動がしやすくなり、作業効率を高めることができる。
【００５４】
さらに、ささえ棒の先端にマイナスイオン発生器を付け、ささえ棒のもう一端を、室内機の設置されている壁の開孔の近傍に、外側からねじで固定したので、固定ねじをはずすことにより、マイナスイオン発生器を室外側から自由に引き出して清掃できる。そのため、サービスマンは家人が不在でも、目で確認しながら清掃できるので確実なサービスができる。
【００５５】
また、室外の壁の開口部にはカバーを取付け、鍵を付けることにより、風雨の入り込む心配もなく、強い風が吹いても貫通パイプを通して室内機に侵入してこないので吐出気流が乱されることもなく安定した状態が得られる。また、鍵がついているので、室外側から必要のないときに放電電極部などに触れることもなく、また防犯上も効果がある。
【００５６】
また、サービスの必要なフィルターなどの部品を、室内機の背面からサービスができるように、部品を背面から取り出しや取り付けなどの操作ができるように配置し、かつ室内機の背面、室内機取付板、および壁に、貫通孔を設けたので、家人が不在でもサービスができるので、効率の良いサービス活動ができる。
【００５７】
以上では、マイナスイオン発生器やフィルターなどに対するメンテナンスサービスを主として説明したが、本発明によれば、室内機内部の他の電気部品もサービスの対象にできる。また、例えば、室内機から室内へ吹き出す空気をメンテナンスサービスの対象とすることもできる。一例として、ヒノキの香りを吹き出し空気に付加する部品を、マイナスイオン発生器と同様に、家人の留守中であっても、外部から定期的に交換設置ができる。
【００５８】
同様に、オゾン発生器、消臭剤、滅菌剤なども、室内機内部に、外部から設置交換等のサービスができる。また、外部から例えば先の細い掃除機を挿入して、室内機内部の塵埃を吸引するなど、定期的な清掃サービスを実施でき、室内機を常に清潔な状況に保持することもできる。
【００５９】
ここで、マイナスイオン発生器を有する室内機の比較例を図１９に示す。マイナスイオン発生の放電電極１０９が、室内へ吐出される空気にマイナスイオンを混入するために、貫流ファン１０４により送風される熱交換器１０３を通過した気流中に設置されている。
【００６０】
仮にマイナスイオン発生部（放電電極１０９）が塵埃により汚れて、掃除をするときは、前面の化粧カバー１０２を開いて、送風方向制御板１０６および１０７を取り除いてから、マイナスイオン発生部の先端（放電電極１０９）を取り出し、清掃してから再び同じ位置に戻すことになる。
【００６１】
しかし、マイナスイオン発生部（放電電極１０９）は、高度な精密加工を施された部品であるため、家庭用電気機器を扱うサービスマンがきて、室内機のカバー１０２をはずし、送風方向制御板１０６、１０７をはずしてから、放電電極１０９を取り出して清掃していた。そのため、サービスマンがくる時間には在宅している必要があり、極めて不便であった。また、清掃も適切な期間に行うことができず、マイナスイオン発生器の効率が劣化した状態で使うことが多くなる。
【００６２】
【発明の効果】
上述のとおり、本発明によれば、室内機の背面にメンテナンスサービス用の開口部を設け、この開口部と室内機取付壁に形成した貫通孔を介して、外部から室内機内部の部品交換や清掃などのサービスを実施できるようにしたので、家人の留守中であっても定期的なメンテナンスサービスを実施できる。
【図面の簡単な説明】
【図１】本発明における室内機の一実施形態を示す断面図である。
【図２】本発明における清掃用ブラシの一例を示す外観図である。
【図３】本発明における室内機の一実施形態において、マイナスイオン発生部の放電電極部をソケット式にした例を示す断面図である。
【図４】図３の（Ａ）部拡大図である。
【図５】本発明における室内機の一実施形態において、マイナスイオン発生放電電極部をレール上に取り付けた例を示す縦断面図である。
【図６】図５のレール部断面（Ａ−Ａ）の拡大図である。
【図７】図６のレール部の斜視図である。
【図８】本発明における室内機の一実施形態において、マイナスイオン発生放電電極部の電源コードをフレキシブル電線で接続した例を示す縦断面図である。
【図９】本発明における室内機の一実施形態において、ささえ棒の一端にマイナスイオン発生装置を付け、他端を室内機設置壁の室外側に固定した例を示す縦断面図である。
【図１０】本発明における室内機の一実施形態において、フィルターをロール状に巻いた状態で、室内機の背面から挿入または引抜きができる状態を示す斜視図である。
【図１１】図１０のフィルター巻付部を視点Ａ−Ａより視た断面図である。
【図１２】図１０のフィルター巻付芯の支持部断面（Ｂ−Ｂ）図である。
【図１３】本発明における室内機の一実施形態において、１回分づつ接続可能な機能を有するフィルターの装填状態（Ａ）とその接続部（Ｂ）を示す斜視図である。
【図１４】図１３の例で、フィルターの代わりに、引出し用テープ（Ａ）、あるいは、枠（Ｂ）を用いた例を示す斜視図である。
【図１５】本発明になる室内機の取付構造の一例を示し、サービス用開口を設けた取付部材と壁を示す斜視図である。
【図１６】本発明になるサービス用ダクト（開口部）の室外側にカバーを覆せた例を示す縦断面図である。
【図１７】本発明になるサービス用ダクト（開口部）の室外側カバーに設けた鍵の施錠状態を示す断面図である。
【図１８】本発明になるサービス用ダクト（開口部）の室外側カバーに設けた鍵の開錠状態を示す断面図である。
【図１９】本発明の一比較例を示す縦断面図である。
【符号の説明】
１　空気調和機の室内機
２　化粧カバー
２ａ　吸込口
４　貫流ファン
５　吹出口
８　背面側ケーシング
９　マイナスイオン発生器（放電電極部）
９ａ　放電電極
１０　サービス用ダクト
１１　背面板
１１ａ　背面開口部
１２　壁内ダクト
１２ａ　室外開口部
１３　壁
１４　清掃用ブラシ
１５　ソケット
２０フレキシブル電線
２１　ささえ棒
２２　フィルター
２２ａ、２２ｂ　フィルター巻付芯
２２ｃ　フィルターの鈎部
２２ｄ　フィルターの鈎受孔
２３　カバー
２３ａ　ストッパー
２３ｂ　鈎
２４　スライド式取付台
２５、２６　芯の取り出し口
２７　室内機取付板（室内機取付部材）
２８　外壁
２９　ラッチ
３２　テープ
３３　フィルターの枠
【図１】
2004138319.tif 000003
【図２】
2004138319.tif 000004
【図３】
2004138319.tif 000005
【図４】
2004138319.tif 000006
【図５】
2004138319.tif 000007
【図６】
2004138319.tif 000008
【図７】
2004138319.tif 000009
【図８】
2004138319.tif 000010
【図９】
2004138319.tif 000011
【図１０】
2004138319.tif 000012
【図１１】
2004138319.tif 000013
【図１２】
2004138319.tif 000014
【図１３】
2004138319.tif 000015
【図１４】
2004138319.tif 000016
【図１５】
2004138319.tif 000017
【図１６】
2004138319.tif 000018
【図１７】
2004138319.tif 000019
【図１８】
2004138319.tif 000020
【図１９】
2004138319.tif 000021